(57)【特許請求の範囲】
【請求項１】
透明電極と反射電極からなる一対の電極と、前記一対の電極間に設けられている有機化合物層と、を有する複数の有機ＥＬ発光部を有する表示部材と、
前記表示部材を収容する筐体と、を有する表示装置において、
保護部材が前記表示部材と空隙を隔てて前記筐体に設けられており、
位相部材及び偏光部材が、前記保護部材の前記表示部材側に、前記偏光部材が前記位相部材よりも光取り出し側に設けられるようにして積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする表示装置。
【請求項２】
透明電極と反射電極からなる一対の電極と、前記一対の電極間に設けられている有機化合物層と、を有する複数の有機ＥＬ発光部を有する表示部材と、
前記表示部材を収容する筐体と、を有する表示装置において、
保護部材が前記表示部材と空隙を隔てて前記筐体に設けられており、
前記保護部材の光取り出し側に偏光部材が積層され、前記保護部材の前記表示部材側に位相部材が積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする表示装置。
【請求項３】
透明電極と反射電極からなる一対の電極と、前記一対の電極間に設けられている有機化合物層と、を有する複数の有機ＥＬ発光部を有する表示部材と、
前記表示部材を収容する筐体と、を有する表示装置において、
保護部材が前記表示部材の光取り出し側に空隙を隔てて設けられており、
前記保護部材及び前記表示部材からなる構造体が前記筐体に設けられており、
位相部材及び偏光部材が、前記保護部材の前記表示部材側に、前記偏光部材が光取り出し側に設けられるようにして積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする表示装置。
【請求項４】
透明電極と反射電極からなる一対の電極と、前記一対の電極間に設けられている有機化合物層と、を有する複数の有機ＥＬ発光部を有する表示部材と、
前記表示部材を収容する筐体と、を有する表示装置において、
保護部材が前記表示部材の光取り出し側に空隙を隔てて設けられており、
前記保護部材及び前記表示部材からなる構造体が前記筐体に設けられており、
前記保護部材の光取り出し側に偏光部材が積層され、前記保護部材の前記表示部材側に位相部材が積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする表示装置。
【請求項５】
前記偏光部材は接着層を介して前記保護部材に積層され、前記接着層の屈折率が、前記偏光部材の屈折率と前記保護部材の屈折率との間の値であることを特徴とする請求項１乃至４のいずれか１項に記載の表示装置。
【請求項６】
前記有機化合物層は、複数の層からなることを特徴とする請求項１乃至５のいずれか１項に記載の表示装置。
【請求項７】
前記一対の電極間の距離が１０ｎｍ以上１μｍ以下であることを特徴とする請求項１乃至６のいずれか１項に記載の表示装置。
【請求項８】
透明電極と反射電極からなる一対の電極と、前記一対の電極間に設けられている有機化合物層と、を有する複数の有機ＥＬ発光部を有する表示部材と、
撮像手段と、
前記表示部材及び前記撮像手段を収容する筐体と、を有する撮像装置において、
保護部材が前記表示部材と空隙を隔てて前記筐体に設けられており、
位相部材及び偏光部材が、前記保護部材の前記表示部材側に、前記偏光部材が前記位相部材よりも光取り出し側に設けられるようにして積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする撮像装置。
【請求項９】
透明電極と反射電極からなる一対の電極と、前記一対の電極間に設けられている有機化合物層と、を有する複数の有機ＥＬ発光部を有する表示部材と、
撮像手段と、
前記表示部材及び前記撮像手段を収容する筐体と、を有する撮像装置において、
保護部材が前記表示部材と空隙を隔てて前記筐体に設けられており、
前記保護部材の光取り出し側に偏光部材が積層され、前記保護部材の前記表示部材側に位相部材が積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする撮像装置。
【発明の詳細な説明】
【技術分野】
【０００１】
本発明は、一対の電極と、一対の電極間に設けられている有機化合物層と、を有する有機ＥＬ発光部を有する表示装置に関する。
【背景技術】
【０００２】
有機ＥＬ素子は自発光型表示パネルとして注目されており、素子内の発光層は表示パネルの観察面側と非観察面側との双方へ光エネルギーを放出する。非観察面側へ放射される光エネルギーを有効利用するため、発光層に電荷を注入する電極のうち非観察面側に位置する電極に反射機能をもたせ、非観察面側へと放射される光を観察面側へと反射させることが一般的に行われている。これにより、観察面側から取り出される光エネルギーを増大させることができる。
【０００３】
しかし、非観察面側に位置する電極に反射機能をもたせた場合、外界から素子内に入射した光が反射電極により反射され、再び素子外に出射するという現象が生じる。また近年、有機ＥＬ素子からなる表示パネルはデジタルスチルカメラや携帯電話等に組み込まれ、屋外で使用する機会が増えている。したがって、反射電極による反射現象が生じると、実際の使用時には外界の映り込み現象として視認されて、表示パネルの表示品質に著しい劣化が生じることになり、有機ＥＬ素子を用いた表示パネルに特有の問題として認識されている。
【０００４】
特許文献１には、外光反射を抑制する手段として、複数の位相補償フィルムと偏光板を組み合わせることにより、幅広い波長範囲において反射光を低減する技術が開示されている。
【０００５】
また、特許文献２には、４分の１位相差の位相補償フィルムと２分の１位相差の位相補償フィルムと直線偏光板を組み合わせた円偏光板が開示されている。
【先行技術文献】
【特許文献】
【０００６】
【特許文献１】特開平０９−１２７８８５号公報
【特許文献２】特開平１０−６８８１６号公報
【発明の概要】
【発明が解決しようとする課題】
【０００７】
上述したように、有機ＥＬ素子（有機ＥＬ発光部）を用いた表示部材はデジタルスチルカメラやデジタルビデオカメラ等の筐体に視認可能に組み込まれるので、外部からの圧力や衝撃などの負荷を受け易い。また、有機ＥＬ素子は有機化合物層等の薄膜の積層体によって構成されているので、外部からの圧力や衝撃に弱く、それらの負荷によって有機化合物層界面での破壊や、電極間の短絡が起きて、点灯しなくなる可能性がある。したがって、表示部材を保護すべく、その観察面側を覆うように透光性の保護部材を配置している。
【０００８】
しかし、通常、この保護部材は、外部から受ける負荷を緩和するために表示部材と空隙を隔てて配置されるので、各部材と空隙との界面で光の反射が生じ、屋外での使用時に外光反射による映り込みを増大させることがあり得る。
【０００９】
本発明の課題は、有機ＥＬ発光部を有する表示部材を保護すべく、その観察面側を覆うように透光性の保護部材を配置した表示装置において、外光反射を低減して外界の写り込みを低減することができる表示装置を提供することにある。
【課題を解決するための手段】
【００１０】
上記の課題を達成すべく、本発明に係る表示装置は、透明電極と反射電極からなる一対の電極と、前記一対の電極間に設けられている有機化合物層と、を有する複数の有機ＥＬ発光部を有する表示部材と、
前記表示部材を収容する筐体と、を有する表示装置において、
保護部材が前記表示部材と空隙を隔てて前記筐体に設けられており、
位相部材及び偏光部材が、前記保護部材の前記表示部材側に、前記偏光部材が前記位相部材よりも光取り出し側に設けられるようにして積層されており、
または、
前記保護部材の光取り出し側に偏光部材が積層され、前記保護部材の前記表示部材側に位相部材が積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする。
【００１１】
また、本発明に係る表示装置は、透明電極と反射電極からなる一対の電極と、前記一対の電極間に設けられている有機化合物層と、を有する複数の有機ＥＬ発光部を有する表示部材と、
前記表示部材を収容する筐体と、を有する表示装置において、
保護部材が前記表示部材の光取り出し側に空隙を隔てて設けられており、
前記保護部材及び前記表示部材からなる構造体が前記筐体に設けられており、
位相部材及び偏光部材が、前記保護部材の前記表示部材側に、前記偏光部材が光取り出し側に設けられるようにして積層されており、
または、
前記保護部材の光取り出し側に偏光部材が積層され、前記保護部材の前記表示部材側に位相部材が積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする。
【００１２】
また、本発明に係る撮像装置は、透明電極と反射電極からなる一対の電極と、前記一対の電極間に設けられている有機化合物層と、を有する複数の有機ＥＬ発光部を有する表示部材と、
撮像手段と、
前記表示部材及び前記撮像手段を収容する筐体と、を有する撮像装置において、
保護部材が前記表示部材と空隙を隔てて前記筐体に設けられており、
位相部材及び偏光部材が、前記保護部材の前記表示部材側に、前記偏光部材が前記位相部材よりも光取り出し側に設けられるようにして積層されており、
または、
前記保護部材の光取り出し側に偏光部材が積層され、前記保護部材の前記表示部材側に位相部材が積層されており、
前記複数の有機ＥＬ発光部は、異なる色を発光する有機化合物層を有する複数の有機ＥＬ発光部を含み、
前記有機化合物層の膜厚は、発光位置から前記反射電極までの光路長が、該有機化合物層の発光の主波長の４分の１もしくは４分の３になる膜厚であり、
前記空隙が１ｍｍ以上１０ｍｍ以下であることを特徴とする。
【発明の効果】
【００１３】
本発明によれば、有機ＥＬ発光部を有する表示部材を保護すべく、その観察面側を覆うように空隙を隔てて配置された透光性の保護部材に、位相部材及び偏光部材が積層されている。したがって、表示部材または保護部材と空隙との界面や、表示部材を構成する有機ＥＬ発光部の反射機能を有する電極で反射した光は、位相部材及び偏光部材によって遮られるので、外界の写り込みを低減することができる。
【図面の簡単な説明】
【００１４】
【図１】本実施形態の表示パネル及び保護部材を模式的に示す断面図である。
【図２】本実施形態の表示装置としてディスプレイを例示する模式図である。
【図３】本実施形態の表示装置としてデジタル一眼レフカメラを例示する模式図である。
【図４】筐体に配置された表示部材及び保護部材を模式的に示す断面図である。
【図５】本実施形態の表示部材及び保護部材の変形例を模式的に示す断面図である。
【図６】位相部材及び偏光層によって表示部材の反射光を低減する原理を説明する図である。
【図７】空隙とこれに隣接する層との界面において反射する光を説明する図である。
【発明を実施するための形態】
【００１５】
以下、本発明を実施するための形態を図面に基づいて説明するが、本発明は本実施形態に限定されるものではない。
【００１６】
図１は、本実施形態の表示部材及び保護部材を模式的に示す断面図である。図１において、１は保護部材、２１は位相部材、２２は偏光部材、２３は基板、２４は反射電極、２５、２６及び２７は有機化合物層、２８は透明電極、２９は保護膜、３１は表示部材である。
【００１７】
本実施形態の表示部材は、基板２３上に複数の有機ＥＬ発光部が形成されており、各発光部において、対向する反射電極２４と透明電極２８との間に、少なくとも発光層を有する有機化合物層２５、２６、２７が備えられている。そして、反射電極２４または透明電極２８の一方が陰極で他方が陽極となるように電気的に接続される。
【００１８】
基板２３としては、ガラス、シリコン及びＳＵＳなどの硬質基板や、プラスチックやエポキシなどの軟質基板を用いることができる。例えば、ガラス基板としてはコーニング社製の１７３７基板を用いる。
【００１９】
基板２３上には、不図示のＴＦＴ素子やＴＦＴのスイッチングを制御する配線構造がマトリクス状に形成され、それらの上に反射機能を有する反射電極２４が形成されて、電気的に接続されている。反射電極２４の材質としては、ＣｒやＡｌなどの反射率の高い金属材料を用いることができる。この場合、例えば、スパッタ法により基板２３上に金属材料を堆積させ、フォトリソグラフィー法によりパターニングすることにより、反射電極２４を形成することができる。また、これらの金属材料の上にＩＴＯやＩＺＯなどの透明の電極を形成して積層構造の電極を作成し、これを反射電極２４として用いてもよい。また、金属材料と透明の電極の間にスパッタ法により酸化窒化シリコンを堆積させた透明層を設け、かつ透明層に設けたコンタクトホールを介して金属材料と透明電極とを電気的に接続することにより、反射電極２４を形成してもよい。
【００２０】
この反射電極２４の上には、ＲＧＢの各色に対応する有機化合物層２５、２６、２７が形成される。これら有機化合物層２５、２６、２７は、少なくとも発光層を有していればよい。有機化合物層の層構成として、例えば、ホール輸送層、発光層及び電子輸送層を積層するものや、ホール注入層、ホール輸送層、発光層、電子輸送層及び電子注入層を積層するものが挙げられる。本発明の有機化合物層の層構成はこれらの構成に限るものではなく、他の層構成を採用してもよい。
【００２１】
また、これら有機化合物層の膜厚は、発せられる光の主波長に応じて各色それぞれ異なった膜厚に設定してもよい。例えば、発光位置から反射電極２４までの光路長が４分の１波長もしくは４分の３波長の長さになるように膜厚を設定してもよい。
【００２２】
さらに、有機ＥＬ発光部に圧力や衝撃などの負荷が掛かって有機化合物層の界面が破壊され、点灯しなくなるのを防止するために、反射電極２４と透明電極２８との間には、複数の有機化合物層２５、２６、２７が積層されていることが好ましい。その場合であっても、有機ＥＬ発光部の反射電極２４と透明電極２８との電極間距離は１０ｎｍ以上１μｍ以下に設定することが好ましい。
【００２３】
また、基板２３の平面方向において各有機化合物層２５、２６、２７を分離するために、窒化シリコン、ポリイミド樹脂、またはノボラック系樹脂などで形成された画素分離膜が設置されていてもよい。
【００２４】
これら有機化合物層２５、２６、２７上には、透明電極層２８が形成される。透明電極２８は、例えば、スパッタ法にてＩＴＯを積層することにより形成される。ＩＴＯの代わりにＩＺＯ（酸化亜鉛と酸化インジウムの化合物）を用いてもよい。
【００２５】
以上の構造により、基板２３上に複数の有機ＥＬ発光部が形成される。これら有機ＥＬ発光部は、基板２３上のＴＦＴマトリクスを介して反射電極２４と透明電極２８との間に電圧もしくは電流を流すことにより、発光する。
【００２６】
水分による有機ＥＬ発光部の特性劣化を防ぐために、基板２３上に形成された複数の有機ＥＬ発光部を覆うように、表示部材全体が保護膜２９によって封止されることが好ましい。保護膜２９の材料としては、窒化シリコンや酸化窒化シリコンの膜を用いてもよい。また、ガラス基板を保護膜２９として基板２３に貼り合わせてもよい。なお、保護膜２９は基板２３上に形成された複数の有機ＥＬ発光部が大気暴露されるのを防ぐ目的で基板２３上に配置されるものであって、筐体から露出させて設けられる後述の保護部材１とは異なる部材である。そのため、本発明において保護膜２９は必ずしも設けられている必要はない。
【００２７】
表示部材３１は、表示部材３１を収容し、表示装置の外観を区画する筐体３０に外部から視認可能に配置され、該表示部材３１を保護すべく、その観察面側（光取り出し面側）を覆うように空隙を隔てて透光性の保護部材１が配置される（図２から図４参照）。
【００２８】
ここで言う筐体３０とは、デジタルスチルカメラ及びデジタルビデオカメラ等の撮像手段を備えた撮像装置や、携帯電話、テレビ受像機などのように、有機ＥＬ発光部を有する表示部材を収容し、装置の外観を区画する筐体を意味する。図２及び図３は、本実施形態の表示装置を例示する模式図である。図２は、撮像手段を有する撮像装置であるデジタル一眼レフカメラの背面を示しており、カメラの筐体３０から露出するように保護部材１が設けられている。また、図３は、ＥＬディスプレイの前面を示しており、ディスプレイの筐体３０から露出するように保護部材１が設けられている。
【００２９】
保護部材１は透光性を有する部材であり、例えば、透明の部材により形成される。保護部材１の材料としては、ガラスやポリカーボネイト系材料及びアクリル系材料などを用いることができる。
【００３０】
この保護部材１には、位相部材２１及び偏光部材２２が積層されている。ここで言う保護部材１は、図４に示すように、筐体３０に配置されており、筐体３０内部に配置された表示部材３１を外部からの圧力や衝撃などの負荷から保護する目的で設けられる部材である。
【００３１】
保護部材１と位相部材２１との間、位相部材２１と偏光部材２２との間に不図示の接着層を配し、各部材を貼り合わせて積層してもよい。
【００３２】
保護部材１、位相部材２１及び偏光部材２２の配置は、図１においては、光取り出し側（観察面側）から偏光部材２２、位相部材２１、保護部材１の順に配置している。これに限るものではなく、光取り出し側から保護部材１、偏光部材２２、位相部材２１の順、あるいは偏光部材２２、保護部材１、位相部材２１の順に配置してもよい。つまり、いずれの場合にも、位相部材２１よりも光取り出し側に偏光部材２２が設けられるようにして積層されている。
【００３３】
光取り出し側から保護部材１、偏光部材２２、位相部材２１の順、あるいは偏光部材２２、保護部材１、位相部材２１の順で積層する場合には、例えば図５に示すように、偏光部材２２と保護部材１との間に接着層３２を配してもよい。この場合には、接着層３２の屈折率は、偏光部材２２の屈折率と保護部材１の屈折率との間の数値であると、より外光反射を低減することができる。
【００３４】
上記接着層３２の材質は特に限定されないが、ポリビニルアルコール系樹脂、アクリル系、ポリエステル系、ウレタン系、ポリエーテル系、またはゴム系接着剤を用いてもよい。
【００３５】
最も光取り出し側に偏光部材２２を設置する場合には、保護部材１の材質として、複屈折が認められない材料を用いるのが好ましい。また、最も光取り出し側に配置される偏光部材２２もしくは保護部材１の表面に反射防止処理を施してもよい。最も光取り出し側に偏光部材２２を設置した場合には、保護部材１から基板２３まで至る部位で生じる反射の影響も低減することができる。
【００３６】
位相部材２１の材料としては、ポリカーボネイト系材料やノルボルネン系材料などを用いることができる。位相部材２１はフィルム状のものであることが好ましい。位相部材２１としては、少なくとも人間の比視感度曲線のピーク付近である５５０ｎｍの４分の１付近の位相差を有するものを用いることが好ましい。この場合、位相部材２１と偏光部材２２との光軸の角度は４５度に設定することが好ましい。また、位相補償特性を良好に保つために、上記特許文献２に開示されているように、位相部材２１が複数枚の位相部材の積層体により構成されていても構わない。複数枚からなる位相部材を用いる場合には、偏光部材２２と位相部材２１を構成するフィルムとの光軸の角度は、先の４５度という数値にとらわれる必要はなく、それぞれ位相に応じた角度を設定すればよい。例えば、偏光部材２２の下に１５度傾けた２分の１の位相差をもつ位相部材を配置し、さらにその下である表示部材側（非観察面側）に偏光部材２２の光軸に対して７５度光軸を傾けた４分の１位相差の位相部材を配置してもよい。この場合、位相部材を一枚のみ使用した場合に比べ、より幅広い波長範囲の外光反射を低減することができる。
【００３７】
保護部材１は、図４に示したように、有機ＥＬ発光部を有する表示部材３１と一定の空隙を隔てて設けられる。空隙には気体が存在していてもよいし、真空であってもよい。空隙に存在する気体は空気であってもよいし、他の気体を封入してもよい。他の気体としては、例えば、Ｎ2やＡｒ等の不活性ガスが挙げられる。表示部材３１と保護部材１との空隙は、保護部材１に負荷がかかり保護部材１が弾性変形した場合であっても、保護部材１が表示部材３１に接触しない距離が好適であり、１ｍｍ以上１０ｍｍ以下であることが好ましい。
【００３８】
図４では、保護部材１及び表示部材３１の設置方法として、表示部材３１を設置する筐体３０に、保護部材１と表示部材３１とがそれぞれ設置されている。これに限るものではなく、表示部材３１に保護部材１が所定の空隙を隔てて設けられていて、保護部材１及び表示部材３１からなる構造体が筐体３０に設けられていてもよい。この場合、表示部材が筐体３０に直接設けられていて、保護部材１が表示部材３１に設けられることによって、保護部材１が筐体３０に間接的に設けられていてもよい。
【００３９】
次に、本実施形態の表示装置の作用を説明する。
【００４０】
まず、図６を用いて、本発明の表示装置の比較形態ついての位相部材及び偏光層によって表示装置の反射光を低減する原理を説明する。なお、図６では、光の説明の便宜上から、位相部材１２と発光層１３との間、及び発光層１３と反射層１４との間に間隔が存在するように図示しているが、実際には間隔は存在せず密着している。
【００４１】
表示部材は、反射層１４、発光層１３、位相部材１２及び偏光層１１を積層することにより構成されている。
【００４２】
偏光層１１は、入射光のうちｐ波もしくはｓ波のいずれかのみを通過させる層である。位相部材１２は複数の位相フィルムを積層したものであり、幅広い波長範囲において４分の１波長の位相差を有する。すなわち、偏光層１１及び位相部材１２を通過した光は、幅広い波長範囲においてｐ波もしくはｓ波の位相が４分の１波長分ずれるため、円偏光に変換される。
【００４３】
発光層１３から偏光層１１の方向に放出された光１６は、偏光層１１を通過して表示部材外に射出される。他方、反射層１４の方向に放出された光１９は反射層１４により反射され、その反射光１５は発光層１３、位相部材１２及び偏光層１１を通過して表示部材外に射出する。このように発光層１３より放出された光１６と光１９は双方とも表示部材外に射出される。
【００４４】
しかし、これらの光１６及び１９は、偏光層１１を通過する際に一方の直線偏光成分のみ通過するため、光強度は減衰する。
【００４５】
また、表示部材外から入射した光１７の一部は偏光層１１の表面で反射光０となる。入射光１７のうち偏光層１１で反射されなかった光は偏光層１１及び位相部材１２によって円偏光に変換され、反射層１４により反射される。入射光１７が反射層１４により反射される際、光の位相は半波長ずれるため、次に位相部材１２を通過した光１８は偏光層１１を通過し得ない。
【００４６】
このような原理に基づき、反射層１４による外光の反射は偏光層１１の表面で反射した光０のみとなり、表示部材単体では反射光を低減することができる。
【００４７】
しかしながら、図２及び図４に示したように、例えば、表示部材をデジタル一眼レフカメラの筐体に組み込む場合に、表示部材を保護すべく、該表示部材の観察面側を覆うように空隙を隔てて透光性の保護部材を配置している。この保護部材１と表示部材との間の空隙は、本実施形態では１ｍｍ以上１０ｍｍ以下の距離に設定されている。すなわち、本実施形態の表示装置の使用者は透光性を有する保護部材１を介して筐体３０の内部に設置された表示部材３１を観察する。このように保護部材１は外界に露出するものであり、外界から加わる圧力や衝撃などの負荷を表示部材３１に伝えない機能を有する。
【００４８】
なお、使用形態によっては、表示部材３１の表面を保護する目的でポリマーフィルム、パッシベーション膜、カバーガラスなどで構成される保護膜を表示部材３１の表面に接触配置する場合があるが、該保護膜は上記保護部材１とは異なる。
【００４９】
このように保護部材１と表示部材３１との間には空隙が存在するため、各部材と空隙との界面での光の反射が生じ、屋外での利用時に外光反射による映り込みを増大させることがあり得る。
【００５０】
次に、図７を用いて、空隙とこれに隣接する層との界面において反射する光について説明する。なお、図７では、本実施形態の表示装置とは異なり、保護部材１に位相部材２１及び偏光部材２２が積層されていない。また、光の説明の便宜上から、発光層１３と反射層１４との間に間隔が存在するように図示しているが、実際には間隔は存在せず密着している。
【００５１】
図７において、偏光層１１、位相部材１２、発光層１３及び反射層１４は積層され、一体の表示部材が構成される。偏光層１１上には、空隙を隔てて保護部材１が設けられている。このような構成において、外界から表示部材に入射する光１７は、偏光層１１の表面だけでなく、保護部材１の表面においても光２として反射する。これにより、保護部材１を偏光層１１と空隙を隔てて配置した場合、外界からの光が保護部材１の表面でも反射光２が生じ、写り込み現象が増加することがあり得る。
【００５２】
本実施形態の表示装置によれば、表示部材３１を保護すべく、その光取り出し側を覆うように空隙を隔てて透光性の保護部材１が配置され、この保護部材１には位相部材及び偏光部材が積層されている。したがって、表示部材３１と空隙との界面、保護部材１と空隙との界面、及び表示部材３１を構成する有機ＥＬ素子の反射電極２４で反射した光は、位相部材２１及び偏光部材２２によって遮られる。その結果、使用時に外界の映り込み現象として視認さることを減少させ、表示部材３１の表示品質を向上させることができる。
【００５３】
なお、以上の説明では有機ＥＬ発光部から発する光が基板とは反対側から取り出されるトップエミッション型の表示装置について説明したが、本発明は有機ＥＬ発光部から発する光が基板側から取り出されるボトムエミッション型の表示装置であってもよい。
【００５４】
また、有機ＥＬ発光部のスイッチングにＴＦＴ素子を用いたが、単純マトリクス配線によるパッシブ駆動を用いても、本発明は同様の効果が得られることは言うまでもない。
【符号の説明】
【００５５】
０  偏光層で反射された光、１  保護部材、２  保護部材で反射された光、１１  偏光層、１２  位相部材、１３  発光層、１４  反射層、１５  発光層から反射層方向に放出され反射層で反射された光、１６  発光層から偏光層方向に放出された光、１７  装置外から表示装置内に入射した光、１８  装置外より表示装置内に入射し反射層で反射された光、１９  発光層から反射層方向に放出された光、２１  位相部材、２２  偏光部材、２３  基板、２４  反射電極、２５  赤色発光層、２６  緑色発光層、２７  青色発光層、２８  透明電極、２９  保護層、３０  筐体、３１  表示部材、３２  接着層
【図１】
0005460763.tif 000002
【図２】
0005460763.tif 000003
【図３】
0005460763.tif 000004
【図４】
0005460763.tif 000005
【図５】
0005460763.tif 000006
【図６】
0005460763.tif 000007
【図７】
0005460763.tif 000008